(57)【特許請求の範囲】
【請求項１】
対向配置された一対の基板間に液晶が挟持され、前記一対の基板のうちの一方の基板上に、複数の信号線と複数の走査線とがマトリクス状に設けられるとともに、異なる複数の基本色からなる画素が複数設けられ、
一つの画素は、各々が隣接する信号線と隣接する走査線とによって囲まれた前記基本色数分のドットを含み、各ドット内に、各走査線と各信号線とに電気的に接続されたスイッチング素子と、前記スイッチング素子に電気的に接続された第１電極とが設けられ、
前記各画素内に、前記第１電極を覆う絶縁層上に形成され、前記絶縁層を貫通するコンタクトホールを介して前記第１電極に電気的に接続された前記基本色数分の第２電極が設けられ、各第２電極が前記基本色数分の第１電極にわたって配置されるとともに、一つの第２電極は前記基本色数分の第１電極のうちのいずれか一つにのみ電気的に接続され、一つの第１電極は一つの第２電極にのみ電気的に接続されたことを特徴とする液晶表示装置。
【請求項２】
１フレームが前記基本色数以上のフィールドに分割されてインターレース駆動が行われ、各々のフィールド内で信号が書き込まれる前記第２電極の基本色毎の割合がほぼ等しいことを特徴とする請求項１に記載の液晶表示装置。
【請求項３】
同一の走査線に電気的に接続された前記第２電極の基本色の割合がほぼ等しいことを特徴とする請求項１に記載の液晶表示装置。
【請求項４】
同一の走査線に電気的に接続された前記第２電極であって、かつ隣接する第２電極同士の基本色が互いに異なることを特徴とする請求項１に記載の液晶表示装置。
【請求項５】
コモン反転駆動が行われることを特徴とする請求項１に記載の液晶表示装置。
【請求項６】
反射型液晶表示装置であることを特徴とする請求項１に記載の液晶表示装置。
【請求項７】
前記基本色が、赤、緑、青の３原色であることを特徴とする請求項１に記載の液晶表示装置。
【請求項８】
前記基本色がストライプ状に配列されたことを特徴とする請求項１に記載の液晶表示装置。
【発明の詳細な説明】
【０００１】
【発明の属する技術分野】
本発明は、液晶表示装置に関し、特にアクティブマトリクス駆動方式の液晶表示装置に関するものである。
【０００２】
【従来の技術】
アクティブマトリクス駆動方式のカラー液晶表示装置（Liquid Crystal Display, 以下、ＬＣＤと略記することもある）では、複数の基本色を組み合わせて一つの色を表示するカラー画素がマトリクス状に多数配列されている。そして、多数の走査線（ゲートバス）と多数の信号線（ソースバス）とによって前記多数のカラー画素がマトリクス駆動される。
【０００３】
この種のＬＣＤにおいて、各信号線方向に沿って複数の基本色、例えばＲ（赤）、Ｇ（緑）、Ｂ（青）の３原色の組み合わせが繰り返し配列され、走査線の数が、１本の信号線に沿う方向の画素数と基本色数とを乗算した数とされたパネル（基本色数は３が一般的であり、その場合の構成を以下では「３倍走査線方式」と呼ぶ）が採用され、３：１のインターレース駆動（３本毎に１本のみ走査する飛び越し走査）を行う技術が提案されている。この３倍走査線方式では、従来一般の構成に比べてゲートドライバの数が３倍になる一方、ゲートドライバに比べて消費電力が大きくかつ高価なソースドライバの数が１／３で済むため、ＬＣＤ全体として消費電力削減とコスト削減を図ることができる。また、３：１インターレース駆動の採用によりフレーム周波数（１画面全てを書き換える周波数）が１／３になることで、消費電力が削減できるという効果も期待できる。なお、３：１インターレース駆動を行うことによってフレーム周波数は通常の１／３になるため、動画表示においては動きのスムーズさにやや欠ける場合がある。ただし、動きのスムーズさが要求されない携帯端末などの用途であれば、問題ないレベルである。
【０００４】
ところが、インターレース駆動を採用した場合、ラインクローリングと呼ばれる表示ムラが認識されやすくなる、という問題が生じる。ラインクローリング対策としては、各ドットに書き込まれる信号の極性に着目し、同一極性の駆動電圧で駆動される同一基本色（Ｒ、Ｇ、Ｂのうちの例えばＧ）の各ドットの直近のもの同士を結んだときに得られる複数のラインの間隔Ｄを小さくするのが有効であるという考え方が従来から知られている。特に、視距離３０ｃｍの場合はライン間隔Ｄは２６０μｍ以下が望ましいことが知られている。また、この基本的な考え方に則り、ドット反転駆動を用いることでラインクローリングを低減する効果が得られる。
【０００５】
【発明が解決しようとする課題】
ところで、液晶の極性反転駆動方式には、画質を重視したドット反転方式や、省電力を重視したコモン反転方式などがある。先に述べた３倍走査線方式でかつインターレース駆動を行う方式は、動画表示性能をあまり重視せず、省電力や低コストをより重視する携帯端末などの用途に向いていると考えられる。したがって、この種の用途における極性反転方式としては、消費電力の大きいドット反転方式よりも省電力化しやすいコモン反転方式を用いる方が望ましい。
【０００６】
しかしながら、従来の３倍走査線方式の構成で３：１インターレース駆動を行う場合、コモン反転駆動を採用すると、同一極性の駆動電圧で駆動される同一基本色の各ドットの直近のもの同士を結んだときに得られる複数のラインの間隔Ｄが、６Ｐ（Ｐ：３ドットで構成されるカラー画素のピッチ）となる。
【０００７】
図１２はこれを説明するための図であり、マトリクス状に配列された３０行のドットを示している。図の左側に記した「Ａ」、「Ｂ」、「Ｃ」は３：１インターレース駆動の書き込みタイミングを示しており、例えば最初に「Ａ」で示した行が上から下まで順次書き込まれたら、次に「Ｂ」で示した行が上から下まで順次書き込まれ、最後に「Ｃ」で示した行が上から下まで順次書き込まれる。なお、「Ａ」、「Ｂ」、「Ｃ」が規則的に並んでいないのは、Ｒ、Ｇ、Ｂは縦方向に規則的に並んでいるため、「Ａ」のタイミングで常に同一基本色のみが書き込まれるのを防ぐためである。また、コモン反転駆動の場合、各行毎の横方向に並ぶ全てのドットが同一極性となる。図１２において、最上行から１行目、２行目、３行目、…の順に基本色がＲ，Ｇ，Ｂ，…の順に繰り返し並んでいたとすると、第５行目は「Ａ」のタイミングで書き込まれる「−」極性のＧのドットとなり、その次の「−」極性のＧのドットは第２３行目に現れることになる。よって、上記のライン間隔Ｄは１８ドット分、すなわち６画素分となる。
【０００８】
ここで、カラー画素ピッチＰの例としては、一般に高精細と言われる２００ｐｐｉ（Pixel per Inch）の画素密度で１２７μｍであり、上記のライン間隔Ｄは、Ｄ＝６Ｐ＝７６２μｍとなる。このライン間隔Ｄはラインクローリングが視認されてしまうのに充分な大きさである。例えば、現在の携帯端末で主流となっている３．５インチのＱＶＧＡ（３２０×２４０画素）のディスプレイではＰ＝２２３．５μｍであり、Ｄ＝６Ｐ＝１３４１μｍとなるため、論外と言わざるを得ない。逆に、ライン間隔Ｄを２６０μｍ以下に抑えようとすると、カラー画素ピッチＰを４３μｍ以下としなければならず、これ程の高画素密度のディスプレイを製作することは現時点では困難であり、実用的でない。
すなわち、従来の３倍走査線方式でコモン反転駆動を採用した場合、充分なラインクローリング対策を施すことは困難であった。
【０００９】
なお、ラインクローリング低減効果が大きいドット反転駆動を採用した場合、コモン反転駆動の場合と異なり、図１１に示すように、各行毎の横方向に並ぶ隣接するドットが逆極性となる。この場合、上記のライン間隔Ｄは、Ｄ＝１．９Ｐとなる。２００ｐｐｉ（Ｐ＝１２７μｍ）の画素密度においてはＤ＝２４１．３μｍとなり、２６０μｍを下回るため、望ましいラインクローリング対策ができる。しかしながら、ドット反転駆動の場合、コモン反転駆動に比べて信号振幅がおよそ２倍になるため、消費電力が増え、ソースドライバだけで比較すると４倍程度にまで増大してしまう、という欠点を有している。
【００１０】
本発明は、上記の課題を解決するためになされたものであって、複数倍走査線方式の特徴を生かしつつ、ラインクローリングを充分に低減できることで画質に優れた液晶表示装置を得ることを目的とする。さらには上記の目的を達成した上で省電力化を図ることのできる液晶表示装置を得ることを目的とする。
【００１１】
【課題を解決するための手段】
上記の目的を達成するために、本発明の液晶表示装置は、対向配置された一対の基板間に液晶が挟持され、前記一対の基板のうちの一方の基板上に、複数の信号線と複数の走査線とがマトリクス状に設けられるとともに、異なる複数の基本色からなる画素が複数設けられ、一つの画素は、各々が隣接する信号線と隣接する走査線とによって囲まれた前記基本色数分のドットを含み、各ドット内に、各走査線と各信号線とに電気的に接続されたスイッチング素子と、前記スイッチング素子に電気的に接続された第１電極とが設けられ、前記各画素内に、前記第１電極を覆う絶縁層上に形成され、前記絶縁層を貫通するコンタクトホールを介して前記第１電極に電気的に接続された前記基本色数分の第２電極が設けられ、各第２電極が前記基本色数分の第１電極にわたって配置されるとともに、一つの第２電極は前記基本色数分の第１電極のうちのいずれか一つにのみ電気的に接続され、一つの第１電極は一つの第２電極にのみ電気的に接続されたことを特徴とする。
【００１２】
本発明の液晶表示装置においては、第１電極がスイッチング素子を介して各信号線に電気的に接続され、第１電極とその上方の第２電極とがコンタクトホールを介して各信号線に電気的に接続されているため、画像信号は第１電極からコンタクトホールを介して第２電極に書き込まれ、第２電極によって液晶が駆動される構成である。つまり、液晶を駆動することで直接的に表示に寄与しているのは第２電極である。この構成において、コンタクトホールの形成位置を適宜選択することにより、同一の走査線で同時に画像信号が書き込まれる第２電極を任意に選択することができ、インターレース駆動を行った際に同時に書き込む基本色も任意に選択することができる。言い換えると、各ドットに信号を書き込むタイミングと、表示される基本色の平面的配列とを各々独立に決めることができる。その結果、基本色の配列をモザイク配列などの複雑な配列にすることなく、有効なラインクローリング対策を実施することができる。なお、ラインクローリングの心配のないノンインターレース（プログレッシブ）駆動を行う場合には、同一走査線で同時に信号が書き込まれる第２電極の基本色を全て同じにすれば、画像補完や輪郭強調などの画像処理が行い易くなるという効果が得られる。
【００１３】
また、本発明の液晶表示装置において、１フレームが前記基本色数以上のフィールドに分割されてインターレース駆動が行われ、各々のフィールド内で信号が書き込まれる前記第２電極の基本色毎の割合がほぼ等しいことが望ましい。
【００１４】
上記本発明の基本構成でラインクローリングの対策効果が大きくなったことを利用して、ラインクローリングが許容されるぎりぎりまでインターレースの比率を大きくし、フレーム周波数を小さくすると、消費電力の削減効果を最大限にすることができる。その際、１フィールド内の色バランスが崩れると、画面全体でフリッカが見える場合があるので、各フィールド内で信号が書き込まれる第２電極の基本色毎の割合を略等しくし、色バランスを取ることによって全面フリッカの発生を抑制することができる。
【００１５】
また、同一の走査線に電気的に接続された前記第２電極の基本色の割合をほぼ等しくすることが望ましい。さらに、同一の走査線に電気的に接続された前記第２電極であって、かつ隣接する第２電極同士の基本色が互いに異なる構成とすることが望ましい。
【００１６】
この構成とすることによって、ラインクローリングの対策効果をより高めることができる。特に後者の構成を採ることが望ましい。
【００１７】
上記本発明の液晶表示装置においては、コモン反転駆動を採用することが望ましい。また、反射型液晶表示装置であることが望ましい。
【００１８】
コモン反転駆動を採用することによって、複数倍走査線方式でインターレース駆動する場合の特徴点である省電力化を更に推進することができる。また、反射型液晶表示装置であれば、バックライトが不要となることで省電力化を図ることができる。この構成は携帯端末などの用途に非常に好適である。
【００１９】
前記基本色は、赤、緑、青の３原色とすることが望ましい。
この構成とすれば、必要最小限の基本色で色再現性を高めることができる。
【００２０】
前記基本色は、ストライプ状に配列されていることが望ましい。
この構成とすれば、縦横の直線を表示したときに直線がギザギザになったり、表示パターンの端部が微妙に着色するなどの表示上の悪影響がなく、パーソナルコンピュータの画面などの表示に適している。
【００２１】
【発明の実施の形態】
［第１の実施の形態］
以下、本発明の第１の実施の形態を図１ないし図４を参照して説明する。
本実施の形態の液晶表示装置は、アクティブマトリクス方式の液晶表示装置であり、対向配置されたアクティブマトリクス基板と対向基板との間に液晶が挟持されている。アクティブマトリクス基板上には、複数の信号線と複数の走査線とが格子状に設けられるとともに、Ｒ、Ｇ、Ｂの３色の基本色からなるカラー画素がマトリクス状に多数設けられている。
【００２２】
図１および図２は、アクティブマトリクス基板を構成する多数のカラー画素のうち、２行×３列分のみの概略構成を示したものである。本実施の形態では、電極が２階建て構造となっており、図２は後述する下側のドット電極のみを示す平面図、図１はさらにドット電極の上方の表示電極を重ねて示す平面図、である。アクティブマトリクス基板を構成する一つのカラー画素１は、図２に示すように、各々が隣接する信号線２と隣接する走査線３Ａ，３Ｂ，３Ｃとによって囲まれた３個のドット４Ａ，４Ｂ，４Ｃから構成されている。そして、各ドット４Ａ，４Ｂ，４Ｃ内には、各走査線３Ａ，３Ｂ，３Ｃと各信号線２との交差点の近傍にこれら走査線３Ａ，３Ｂ，３Ｃおよび信号線２に電気的に接続されたＴＦＴ等のスイッチング素子５が設けられ、スイッチング素子５に電気的に接続された横長矩形状のドット電極６Ａ，６Ｂ，６Ｃ（第１電極）が設けられている。
【００２３】
さらにドット電極６Ａ，６Ｂ，６Ｃを覆う絶縁層（図示せず）が設けられ、図１に示すように、各カラー画素１内に、絶縁層を貫通するコンタクトホール７を介してドット電極６Ａ，６Ｂ，６Ｃと電気的に接続された縦長矩形状の３個の表示電極８Ｒ，８Ｇ，８Ｂ（第２電極）が、絶縁層上に設けられている。各表示電極８Ｒ，８Ｇ，８Ｂは、ドット電極６Ａ，６Ｂ，６Ｃと交差する方向に延び、３個のドット電極６Ａ，６Ｂ，６Ｃにわたって配置されている。表示電極８Ｒ，８Ｇ，８Ｂはコンタクトホール７を介してドット電極６Ａ，６Ｂ，６Ｃと電気的に接続されているが、１個の表示電極は３個のドット電極のうちのいずれか１個にのみ電気的に接続されており、１個のドット電極は１個の表示電極にのみ電気的に接続されている。
【００２４】
そして、各表示電極８Ｒ，８Ｇ，８Ｂに対応してカラーフィルターのＲ、Ｇ、Ｂの各着色層（図示せず）が設けられており、例えば各カラー画素１の左側の表示電極８ＲがＲの色、中央の表示電極８ＧがＧの色、右側の表示電極８ＢがＢの色に対応している。この配列は複数のカラー画素１にわたって規則的であり、カラーフィルター全体の配列はいわゆる縦ストライプとなっている。
【００２５】
一方、コンタクトホール７の配置はカラー画素１間で異なっており、すなわち、各カラー画素１内においてどのドット電極がどの表示電極に接続されているかはカラー画素１間で異なっている。本実施の形態の場合、１行目の左側のカラー画素１では、上側のドット電極６Ａが左側の表示電極８Ｒに接続され、中央のドット電極６Ｂが中央の表示電極８Ｇに接続され、下側のドット電極６Ｃが右側の表示電極８Ｂに接続されている。これに対して、１行目の中央のカラー画素１では、上側のドット電極６Ａが中央の表示電極８Ｇに接続され、中央のドット電極６Ｂが右側の表示電極８Ｂに接続され、下側のドット電極６Ｃが左側の表示電極８Ｒに接続されている。さらに、１行目の右側のカラー画素１では、上側のドット電極６Ａが右側の表示電極８Ｂに接続され、中央のドット電極６Ｂが左側の表示電極８Ｒに接続され、下側のドット電極６Ｃが中央の表示電極８Ｇに接続されている。また、１行目でさらに横方向に並ぶ図示しないカラー画素１のコンタクトホール７の配置はこの３個のカラー画素のパターンの繰り返しである。また、２行目の各カラー画素におけるコンタクトホールの配置は１行目と同じである。すなわち、カラー画素を縦方向に見ると同じパターンの繰り返しである。
【００２６】
以上のことからわかるように、コンタクトホール７の位置をどこにするかによって、同一の走査線３Ａ，３Ｂ，３Ｃで同時に画像信号が書き込まれる表示電極８Ｒ，８Ｇ，８Ｂ、およびその表示電極８Ｒ，８Ｇ，８Ｂに対応する色Ｒ，Ｇ，Ｂを任意に選択できる。つまり図１の例で言えば、最も上の走査線３Ａによって画像信号が書き込まれる色は、左側のカラー画素１ではＲ、中央のカラー画素１ではＧ、右側のカラー画素１ではＢとなっており、同一の走査線に電気的に接続された表示電極の基本色の割合は略等しくなっている。
【００２７】
上記構成の本実施の形態の液晶表示装置において、図１の３画素分のユニットをそのまま並べ、各表示電極８Ｒ，８Ｇ，８Ｂに画像信号が書き込まれるタイミングと、各表示電極８Ｒ，８Ｇ，８Ｂに書き込まれる画像信号の極性を模式的に表したものが図３である。上記コンタクトホール７の配置で３：１インターレースのコモン反転駆動を行った場合、同一極性の駆動電圧で駆動される同一基本色の各ドットの直近のもの同士を結んだときに得られる複数のラインの間隔Ｄが、Ｄ＝１．７Ｐ（Ｐ：３ドットで構成されるカラー画素のピッチ）となる。なお、図３においては、「Ａ」のタイミングで書き込まれる「＋」極性のＧのドットに着目してラインを引いた。
【００２８】
このように、本実施の形態の場合、従来技術でのコモン反転駆動のＤ＝６Ｐ（図１２参照）は言うに及ばず、ドット反転駆動のＤ＝１．９Ｐ（図１１参照）と比べても改善されており、ラインクローリングがより視認され難くなっている。本実施の形態の場合、Ｐ＝１２７μｍ（２００ｐｐｉ）でＤ＝２１６μｍとなり、Ｄを２６０μｍ以下の望ましい状態とすることができる。逆にＤ＝２６０μｍとなるためにはＰ＝１５３μｍでよく、この程度であれば充分に実用的である。そして、コモン反転駆動の採用により、液晶表示装置の省電力化を図ることができる。
【００２９】
図４は、図３のコンタクトホール７の配置を若干変えたものであり、隣接する行で図１に示したユニットを１カラー画素分ずつ横にずらして配列した場合を示している。この例ではＤ＝２．６Ｐとなり、従来のドット反転駆動の場合よりも悪くなるが、Ｐ＝１２７μｍ（２００ｐｐｉ）でＤ＝３３０μｍとなり、許容できるレベルである。従来のコモン反転駆動に比べれば大幅な改善である。
【００３０】
［第２の実施の形態］
以下、本発明の第２の実施の形態を図５ないし図８を参照して説明する。
第１の実施の形態では３：１インターレースのコモン反転駆動を行った場合について説明したが、本実施の形態では４：１インターレースのコモン反転駆動を行う場合について説明する。液晶表示装置の基本構成については第１の実施の形態と同様であるため、説明は省略する。
【００３１】
図５ないし図８は、４種類のコンタクトホールの配列例において、各表示電極８Ｒ，８Ｇ，８Ｂに画像信号が書き込まれるタイミングと、各表示電極８Ｒ，８Ｇ，８Ｂに書き込まれる画像信号の極性を模式的に表した図である。本実施の形態は４：１インターレースのため、「Ａ」、「Ｂ」、「Ｃ」、「Ｄ」の４つのタイミングで示す。図５ないし図８では、「Ａ」のタイミングで書き込まれる「＋」極性のＧのドットに着目してラインを引いた。図５〜図７の配置では全てＤ＝２．８Ｐであった。これに対して、図８の配置ではＤ＝２．５５Ｐであり、４種類の例の中で最もＤを小さくすることができた。この例ではＰ＝１２７μｍ（２００ｐｐｉ）でＤ＝３２３μｍとなり、許容できるレベルである。従来のコモン反転駆動に比べれば大幅な改善である。
【００３２】
［第３の実施の形態］
以下、本発明の第３の実施の形態を図９を参照して説明する。
本実施の形態では５：１インターレースのコモン反転駆動を行う場合について説明する。液晶表示装置の基本構成については第１の実施の形態と同様であるため、説明は省略する。
【００３３】
図９は、各表示電極８Ｒ，８Ｇ，８Ｂに画像信号が書き込まれるタイミングと、各表示電極８Ｒ，８Ｇ，８Ｂに書き込まれる画像信号の極性を模式的に表した図である。本実施の形態は５：１インターレースのため、「Ａ」、「Ｂ」、「Ｃ」、「Ｄ」、「Ｅ」の５つのタイミングで示す。図９では、「Ａ」のタイミングで書き込まれる「＋」極性のＧのドットに着目してラインを引いた。本実施の形態ではＤ＝２．８Ｐであった。この例ではＰ＝１２７μｍ（２００ｐｐｉ）でＤ＝３５５μｍとなり、許容できるレベルではあるが、３：１、４：１のインターレース駆動に比べると厳しくなる。しかしながら、従来のコモン反転駆動に比べれば大幅な改善である。
【００３４】
［第４の実施の形態］
以下、本発明の第３の実施の形態を図１０を参照して説明する。
本実施の形態では６：１インターレースのコモン反転駆動を行う場合について説明する。液晶表示装置の基本構成については第１の実施の形態と同様であるため、説明は省略する。
【００３５】
図１０は、各表示電極８Ｒ，８Ｇ，８Ｂに画像信号が書き込まれるタイミングと、各表示電極８Ｒ，８Ｇ，８Ｂに書き込まれる画像信号の極性を模式的に表した図である。本実施の形態は６：１インターレースのため、「Ａ」、「Ｂ」、「Ｃ」、「Ｄ」、「Ｅ」、「Ｆ」の６つのタイミングで示す。図１０では、「Ａ」のタイミングで書き込まれる「＋」極性のＧのドットに着目してラインを引いた。本実施の形態ではＤ＝２．４Ｐであった。この例ではＰ＝１２７μｍ（２００ｐｐｉ）でＤ＝３０５μｍとなり、許容できるレベルである。また、４：１、５：１のインターレース駆動に比べても改善されている。
【００３６】
以上の第１〜第４の実施の形態における最小のライン間隔Ｄをまとめると、以下のようになる。３：１インターレースでＤ＝１．７Ｐ（Ｐ＝９０μｍの場合、Ｄ＝１５３μｍ）、４：１インターレースでＤ＝２．５５Ｐ（Ｐ＝９０μｍの場合、Ｄ＝２３０μｍ）、５：１インターレースでＤ＝２．８Ｐ（Ｐ＝９０μｍの場合、Ｄ＝２５２μｍ）、６：１インターレースでＤ＝２．４Ｐ（Ｐ＝９０μｍの場合、Ｄ＝２１６μｍ）、Ｐ＝９０μｍ（２８０ｐｐｉ）程度のカラー画素ピッチで上記の全ての場合においてＤが２６０μｍを下回り、望ましいレベルまでラインクローリングを改善できることを示している。これに対して、このような微小なカラー画素ピッチであっても、従来の構成におけるコモン反転駆動ではＤ＝６Ｐ＝５４０μｍであり、実用にならないレベルである。
【００３７】
なお、本発明の技術範囲は上記実施の形態に限定されるものではなく、本発明の趣旨を逸脱しない範囲において種々の変更を加えることが可能である。例えば上記実施の形態では液晶表示装置のタイプとして透過型、反射型を問わず説明したが、本発明はいずれのタイプにおいてもラインクローリング対策として有効である。ただし、開口率の制約のない反射型の方がより実現性が高いと考えられる。さらに、反射型の場合はバックライトが不要なため、コモン反転駆動による省電力化の効果をさらに大きくすることもできる。
【００３８】
また、カラー画素部のレイアウトに関しては、ドット電極を信号電圧保持用の蓄積容量Ｃｓと兼用することが可能である。一例として、走査線と並行に、かつドット電極の下方に蓄積容量用のコモン電極を形成し、ゲート絶縁膜を介して各ドット電極との間で蓄積容量を作ることが可能である。この場合、いわゆるCs on GateではなくCs on Common構造となり、コモン反転駆動に適したものとなる。また、この構造によれば、走査線に付加される容量が減るため、ゲートドライバを基板上にＴＦＴ等で作ろうとした場合、負荷が減ることを意味しており、ゲートドライバの設計上有利である。
【００３９】
【発明の効果】
以上、詳細に説明したように、本発明の構成によれば、複数倍走査線方式の特徴を生かしつつ、ラインクローリングを充分に低減できることで画質に優れた液晶表示装置を得ることができる。さらに、省電力化を図ることができる。
【図面の簡単な説明】
【図１】  本発明の第１実施形態の液晶表示装置を構成するアクティブマトリクス基板において、ドット電極とその上方の表示電極とを重ねて示す平面図である。
【図２】  同、アクティブマトリクス基板において、下側のドット電極のみを示す平面図である。
【図３】  図１に示すコンタクト配列例において、各表示電極に画像信号が書き込まれるタイミングと、各表示電極に書き込まれる画像信号の極性を模式的に示す図である（３：１インターレース）。
【図４】  図３と異なるコンタクト配列例における同図である。
【図５】  本発明の第２実施形態の液晶表示装置における同図である（４：１インターレース）。
【図６】  他のコンタクト配列例における同図である。
【図７】  他のコンタクト配列例における同図である。
【図８】  他のコンタクト配列例における同図である。
【図９】  本発明の第３実施形態の液晶表示装置における同図である（５：１インターレース）。
【図１０】  本発明の第４実施形態の液晶表示装置における同図である（６：１インターレース）。
【図１１】  従来の３：１インターレース、ドット反転駆動における同図である。
【図１２】  従来の３：１インターレース、コモン反転駆動における同図である。
【符号の説明】
１  カラー画素
２  信号線
３Ａ，３Ｂ，３Ｃ  走査線
４Ａ，４Ｂ，４Ｃ  ドット
５  スイッチング素子
６Ａ，６Ｂ，６Ｃ  ドット電極（第１電極）
７  コンタクトホール
８Ｒ，８Ｇ，８Ｂ  表示電極（第２電極）
【図１】
0003665773.tif 000002
【図２】
0003665773.tif 000003
【図３】
0003665773.tif 000004
【図４】
0003665773.tif 000005
【図５】
0003665773.tif 000006
【図６】
0003665773.tif 000007
【図７】
0003665773.tif 000008
【図８】
0003665773.tif 000009
【図９】
0003665773.tif 000010
【図１０】
0003665773.tif 000011
【図１１】
0003665773.tif 000012
【図１２】
0003665773.tif 000013